(57)【要約】【課題】防滴構造と内部の電気配線とを有するカメラとして、スペースやコストの削減を図るとともに、組み立て作業性を向上させたカメラを提供する。【解決手段】本発明に係わるカメラ（１）は、第１の筐体（３）と、前記第１の筐体に接合する第２の筐体（４）と、前記第１の筐体または第２の筐体に配置される複数の電子部品（４５、４６）と、導電材（６）を内蔵した弾性部材（５）と、を備え、前記弾性部材は、前記第１の筐体と前記第２の筐体との接合面（３３、４３）に沿って取り付けられ、前記第１の筐体と前記第２の筐体との接合により、前記第１の筐体と前記第２の筐体との前記接合面が前記弾性部材で密閉され、且つ複数の前記電子部品が前記弾性部材の前記導電材と接触して電気的に接続されることを特徴とする。【選択図】図１
2011027965.tif 000002
【特許請求の範囲】
【請求項１】
第１の筐体と、
前記第１の筐体に接合する第２の筐体と、
前記第１の筐体または第２の筐体に配置される複数の電子部品と、
導電材を内蔵した弾性部材と、
を備え、
前記弾性部材は、前記第１の筐体と前記第２の筐体との接合面に沿って取り付けられ、前記第１の筐体と前記第２の筐体との接合により、前記第１の筐体と前記第２の筐体との前記接合面が前記弾性部材で密閉され、且つ複数の前記電子部品が前記弾性部材の前記導電材と接触して電気的に接続されることを特徴とするカメラ。
【請求項２】
請求項１に記載のカメラであって、
前記電子部品は、前記弾性部材の前記導電材と接触する導電部を有し、前記弾性部材の導電材は、前記電子部品の前記導電部に対し略垂直に接触することを特徴とするカメラ。
【請求項３】
請求項１に記載のカメラであって、
前記第１の筐体および前記第２の筐体の少なくとも一方は、相手側筐体との接合面に沿って前記弾性部材を収納する溝部を有することを特徴とするカメラ。
【発明の詳細な説明】
【技術分野】
【０００１】
本発明は、防滴機能を備えたカメラに関するものである。
【背景技術】
【０００２】
近年、デジタルカメラにおいては、小型軽量であることに加えて、日常生活での防滴機能を備えたものが市場から要求されている。防滴機能を備えたデジタルカメラでは、前後のカバーの合わせ目部分にゴム製のシール部材を配置することにより、水などがカメラ内部に侵入するのを防ぐようにしたものが知られている。その一例として、ゴム部材の内部にリード線を設け、板バネなどで電気的に接続したものが提案されている（例えば、特許文献1）。
【先行技術文献】
【特許文献】
【０００３】
【特許文献１】特開平５−３０４３７２号公報
【発明の概要】
【発明が解決しようとする課題】
【０００４】
しかしながら、上記のような従来の防滴構造では、リード線を板バネなどの金属部材やビスなどでネジ止めしたり、半田付けしたりする必要がある。このため、スペースやコストの削減が困難であった。
【０００５】
また、デジタルカメラでは、部品配置の都合上、回路基板などの電子部品がボディの両端に離れて配置されることが多い。しかし、小型化された近年のデジタルカメラでは、リード線を収納するためのスペースを確保することが難しい。また、リード線が規定の位置を外れて実装されると、前後カバーを組み付ける際に引っ掛かりが生じるため、組み立て作業性が低下する。この場合、リード線をカメラ本体に設けたリブなどに挟み込むなどの対策が必要となり、コストの削減が困難であった。
【０００６】
さらに、前後カバーにそれぞれ分かれて実装された回路基板同士を接続する場合は、組み立て状態以上の長さのリード線を用い、このリード線をそれぞれの回路基板に半田付けした後、規定の位置で撓ませてカバーを接合する必要がある。しかし、撓ませたリード線を収納するためのスペースを確保することが難しい。また、前後のカバーを組み付ける際に、撓ませたリード線がカバーに挟まれるなどして組み立て作業性が低下する。
【０００７】
本発明の課題は、防滴構造と内部の電気配線とを有するカメラとして、スペースやコストの削減を図るとともに、組み立て作業性を向上させたカメラを提供することにある。
【課題を解決するための手段】
【０００８】
本発明は、以下のような解決手段により前記課題を解決する。なお、理解を容易にするために、本発明の実施形態に対応する符号を付して説明するが、これに限定されるものではない。
請求項１に記載の発明は、第１の筐体（３）と、前記第１の筐体に接合する第２の筐体（４）と、前記第１の筐体または第２の筐体に配置される複数の電子部品（４５、４６）と、導電材（６）を内蔵した弾性部材（５）と、を備え、前記弾性部材は、前記第１の筐体と前記第２の筐体との接合面（３３、４３）に沿って取り付けられ、前記第１の筐体と前記第２の筐体との接合により、前記第１の筐体と前記第２の筐体との前記接合面が前記弾性部材で密閉され、且つ複数の前記電子部品が前記弾性部材の前記導電材と接触して電気的に接続されることを特徴とするカメラ（１）である。
請求項２に記載の発明は、請求項１に記載のカメラ（１）であって、前記電子部品（４５、４６）は、前記弾性部材（５）の前記導電材（６）と接触する導電部（４５ａ、４６ａ）を有し、前記弾性部材の導電材は、前記電子部品の前記導電部に対し略垂直に接触することを特徴とする。
請求項３に記載の発明は、請求項１に記載のカメラ（１）であって、前記第１の筐体（３）および前記第２の筐体（４）の少なくとも一方は、相手側筐体との接合面（３３、４３）に沿って前記弾性部材（５）を収納する溝部（４８）を有することを特徴とする。
なお、符号を付して説明した構成は、適宜改良しても良く、また、少なくとも一部を他の構成物に代替してもよい。
【発明の効果】
【０００９】
本発明によれば、防滴構造と内部の電気配線とを有するカメラとして、スペースやコストの削減を図るとともに、組み立て作業性を向上させたカメラを提供することができる。
【図面の簡単な説明】
【００１０】
【図１】実施形態に係わるカメラの分解斜視図である。
【図２】弾性部材を取り付ける前の後カバーの斜視図である。
【図３】弾性部材を取り付けた後の後カバーの斜視図である。
【図４】他の実施形態に係わるカメラの分解斜視図である。
【発明を実施するための形態】
【００１１】
以下、図面を参照して本発明に係わるカメラの実施形態について説明する。なお、図１および図４には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１２】
図１は、本実施形態に係わるカメラ１の分解斜視図である。カメラ１は、デジタルカメラであり、図１に示すように、カメラ本体２と、カメラ本体２を収容する前カバー３および後カバー４とを備えている。
【００１３】
カメラ本体２は、撮像ユニット２１と、撮像ユニット２１の前側（Ｚプラス側）に位置するレンズ鏡筒２２と、撮像ユニット２１の後側（Ｚマイナス側）に位置する表示装置２３とを備えている。
【００１４】
撮像ユニット２１は、不図示の撮像素子、撮像素子が実装された基板、モアレ防止のためのローパスフィルタ等を備えている。撮像素子は、レンズ鏡筒２２内の光学系により結像した被写体像を電気信号に変換する部分である。そして、撮像素子で光電変換された撮像データは、不図示の画像処理部により各種の信号処理が施されて画像データに変換される。さらに、画像データは表示装置２３に送られるとともに、不図示の記録装置に送られる。
【００１５】
レンズ鏡筒２２は、不図示の撮影レンズが内部に配置されており、被写体からの光を撮像ユニット２１の受光面に結像して被写体像とする。
【００１６】
表示装置２３は、撮像素子によって撮像されたスルー画像や再生画像などを表示する不図示の液晶パネルを後側（Ｚマイナス側）に備えている。また、表示装置２３は、被写体像の表示に加えて、カメラ１における各機能の設定を行うための機能設定メニューや、シャッター速度、絞りおよび露光補正情報などの撮影者が入力した設定情報のほか、撮像ユニット２１によって測定された測光情報、その他の情報などを表示する。
【００１７】
前カバー３は第１の筐体を構成し、後カバー４は第２の筐体を構成する。前カバー３および後カバー４を接合することにより、カメラ本体２を収容するためのカメラ筐体（符号を省略する）が形成される。本実施形態において、後述するように前カバー３および後カバー４を接合した状態では、弾性部材５によってカメラ筐体の内部に水滴が漏入することのない防滴構造とすることができる。
【００１８】
前カバー３および後カバー４は、それぞれ箱枠状に形成されている。前カバー３は、矩形板状の前壁部３１と、前壁部３１の後側で前壁部３１を囲む枠壁部３２とが一体に形成されており、後面が開放されている。前カバー３の前壁部３１の中央部分には、レンズ鏡筒２２が嵌め込まれるレンズ用孔３８が設けられている。前カバー３の前壁部３１の右上隅部には、フラッシュ光を透過するための窓３７が設けられている。窓３７の後側には、フラッシュ撮影時に発光する不図示の発光装置が配置される。
【００１９】
後カバー４は、矩形板状の後壁部４１と、後壁部４１の前側で後壁部４１を囲む枠壁部４２とが一体に形成されており、前面が開放されている。後カバー４の後壁部４１には、表示装置２３が嵌め込まれる表示用窓４７が形成されている。その他、撮影時に押圧操作されるレリーズボタン、各種の機能設定を行う操作ボタン、その他のボタンやスイッチ等は、後カバー４または前カバー３の適宜位置に設けられる（いずれも図示を省略する）。
【００２０】
本実施形態において、後カバー４の内部には、不図示の発光装置へ電力を供給するコンデンサ４４が配置されている。コンデンサ４４は、後カバー４の内部における一方の側（図１におけるＸマイナス側）に配置されている。コンデンサ４４には、発光制御を行うための発光制御基板４５が半田付け等によって接続されている。また、後カバー４の内部における他方の側（図１におけるＸプラス側）には、発光制御基板４５と電気的に接続される回路基板４６が配置されている。発光制御基板４５および回路基板４６は、不図示のビス等によって後カバー４に固定されている。これら発光制御基板４５および回路基板４６は、電子部品を構成し、それぞれのパターンには大電流や高電圧が流れる。
【００２１】
前カバー３および後カバー４の接合は、これらの枠壁部３２，４２の対向している端面を相互に突き合わせることにより行われる。枠壁部３２，４２における対向している端面が相互に突き合わせられる接合面３３，４３となる。本実施形態において、前カバー３と後カバー４とを接合する際に弾性部材５が用いられる。以下、前カバー３および後カバー４の接合および弾性部材５の構成を、図２および図３により説明する。
【００２２】
図２は、弾性部材５を取り付ける前の後カバー４の斜視図、図３は、弾性部材５を取り付けた後の後カバー４の斜視図である。前カバー３と後カバー４とを接合する際に、弾性部材５が後カバー４に取り付けられる。
【００２３】
弾性部材５は、図２の部分拡大図に示すように、外皮７の内部に導電材６が設けられた構造となっている。外皮７は、絶縁性ゴム、絶縁性樹脂等の材料によって形成されており、絶縁性と弾力性とを備えている。本実施形態において、外皮７の内部には1本の導電材６が設けられている。導電材６としては、銅、アルミニウム等の導体が使用されており、低抵抗で電流を流すことができる。
【００２４】
本実施形態における弾性部材５は、略コ字状に形成されている。弾性部材５の長さは、前カバー３および後カバー４の接合の際のシール材として機能し、且つ発光制御基板４５、回路基板４６との電気的な接続線（電線）として機能する長さに設定される。本実施形態における弾性部材５は、図２に示すように、後カバー４の接合面４３における上側部分に沿って取り付けられる第１部材５ａと、接合面４３における下側部分に沿って取り付けられる第２部材５ｂとから構成されている。
【００２５】
第１部材５ａおよび第２部材５ｂにおける長さ方向の両端部は、図２の部分拡大図に示すように、外皮７から導電材６が露出した状態となっている。このように、外皮７から露出した部分の導電材６が電気的な接続を行うための接点となる。
【００２６】
図２に示すように、後カバー４における接合面４３には、溝部４８が形成されている。溝部４８は、接合面４３に沿ってほぼ全域に形成されている。ここでは、接合面４３の上側部分に対応した溝部を第１溝部４８ａといい、接合面４３の下側部分に対応した溝部を第２溝部４８ｂという。溝部４８（４８ａ、４８ｂ）の溝幅は、弾性部材５を取り付けたときに容易に外れないように、弾性部材５の外径よりも若干小さくなるように設定されている。なお、前カバー３における接合面３３（図１参照）には溝部は形成されておらず、平坦面となっている。
【００２７】
図３の部分拡大図（図中上部）に示すように、発光制御基板４５には、金や銅などの導体メッキからなる電極パターン４５ａが上下面に形成されている。電極パターン４５ａは、発光制御基板４５に形成されたパターンと接続されている。上下の電極パターン４５ａには、弾性部材５（第１部材５ａおよび第２部材５ｂ）から露出する導電材６が接触して電気的な接続が行われる。電極パターン４５ａは、導電材６と接触する導電部として機能する。
【００２８】
また、図３の部分拡大図（図中下部）に示すように、回路基板４６には、導体メッキからなる電極パターン４６ａが形成されている。電極パターン４６ａは、並列に２つ形成されており、それぞれが回路基板４６に形成されたパターンと接続されている。２つの電極パターン４６ａには、弾性部材５（第１部材５ａおよび第２部材５ｂ）から露出する導電材６が接触して電気的な接続が行われる。電極パターン４６ａは、導電材６と接触する導電部として機能する。
【００２９】
次に、カメラ筐体の組み立てについて説明する。まず、図２に示すように、後カバー４の接合面４３に形成されている溝部４８に弾性部材５を取り付ける。すなわち、第１部材５ａを上側部分の第１溝部４８ａに嵌め込むとともに、第２部材５ｂを下側部分の第２溝部４８ｂに嵌め込む。このとき、第１部材５ａおよび第２部材５ｂの両端部から露出している導電材６の露出部分を、対応する発光制御基板４５の電極パターン４５ａおよび回路基板４６の電極パターン４６ａと接触させる。
【００３０】
本実施形態において、発光制御基板４５および回路基板４６の基板面は、第１部材５ａおよび第２部材５ｂに対して略垂直となるように配置されており、導電材６の露出部分はこれら基板面に対し略垂直に接触する。具体的には、図３の各部分拡大図に示すように、第１部材５ａにおける左側端部の導電材６の露出部分は、発光制御基板４５における上面の電極パターン４５ａに対し略垂直に接触する。同じ第１部材５ａにおける右側端部の露出部分は、回路基板４６における上側の電極パターン４６ａに対し９０°折り曲げられた状態で略垂直に接触する。また、第２部材５ｂにおける左側端部の導電材６の露出部分は、発光制御基板４５における下面の電極パターン４５ａに対し略垂直に接触する。同じ第２部材５ｂにおける右側端部の露出部分は、回路基板４６における下側の電極パターン４６ａに対し９０°折り曲げられた状態で略垂直に接触する。
【００３１】
図３に示すように、後カバー４に弾性部材５を取り付けた状態で、後カバー４に前カバー３を接合する。すなわち、後カバー４の接合面４３に対して前カバー３の接合面３３を突き合わせて、不図示のビス等により前カバー３および後カバー４を締結する。この締結により、第１部材５ａおよび第２部材５ｂは、溝部４８ａおよび４８ｂに押し込まれ、圧縮状態となって固定される。このため、第１部材５ａおよび第２部材５ｂを、接着剤等を用いることなしに前後カバーに固定することができる。また、弾性部材５（第１部材５ａおよび第２部材５ｂ）が圧縮状態となって前カバー３および後カバー４の間に固定されるため、カバー３、４の隙間からの水の侵入を防ぐ防滴構造とすることができる。なお、図３の部分拡大図（図中下部）において、接合面４３ａの部分には、不図示の防滴部材が取り付けられる。
【００３２】
さらに、圧縮による弾性部材５（第１部材５ａおよび第２部材５ｂ）の固定により、弾性部材５における導電材６の露出部分と、発光制御基板４５の電極パターン４５ａおよび回路基板４６の電極パターン４６ａとが互いに押圧された状態で接触する。これにより、弾性部材５（第１部材５ａおよび第２部材５ｂ）を介して回路基板４６と発光制御基板４５とが電気的に接続されることになる。
【００３３】
上述した実施形態によれば、以下の効果を奏する。
（１）前カバー３と後カバー４とを接合することにより、弾性部材５が圧縮されてカバー３，４間がシールされ、カメラ筐体を防滴構造とすることができる。また同時に、リード線等を用いることなしに、後カバー４内に配置されている回路基板４６と発光制御基板４５とを電気的に接続することができる。このように、前カバー３と後カバー４とを接合するだけで、弾性部材５によるカバー３，４間のシール、および弾性部材５による回路基板４６と発光制御基板４５との接続が可能となるうえ、組み立て時にリード線がカバー３，４に引っ掛かる心配がないため、組み立て作業性を向上させることができる。
（２）リード線を配線するためのスペースが不要となるため、カメラ１を小型化することができる。
（３）リード線のほか、リード線を固定するための金属部材やビス、或いはリブ等も不要となるため、部品点数を削減することができる。また、リード線と基板とを接続するための半田付けも不要となる。このように、部品点数や作業工数を減らすことができるため、コストの削減を図ることができる。
【００３４】
図４は、他の実施形態を示す斜視図である。図４では、図１〜図３に示す同等部分に同一符号を付している。
【００３５】
図４に示す実施形態では、回路基板４６がカメラ本体２に取り付けられている。すなわち、回路基板４６はカメラ本体２における撮像ユニット２１の右側面（Ｘプラス側の側面）に固定されている。また、回路基板４６の表面には、電極パターン４６ａが形成されている。一方、後カバー４の接合面４３に形成された溝部４８には、弾性部材５が取り付けられている。すなわち、第１部材５ａは、接合面４３の第１溝部４８ａに嵌め込まれ、回路基板４６と対向する位置において、回路基板４６の上側の電極パターン４６ａと略垂直に接触するように９０°折り曲げられた状態で固定されている。また、第２部材５ｂは、接合面４３の第２溝部４８ｂに嵌め込まれ、回路基板４６と対向する位置において、回路基板４６の下側の電極パターン４６ａと略垂直に接触するように９０°折り曲げられた状態で固定されている。第１部材５ａおよび第２部材５ｂの右側の端部には、外皮７から導電材６が露出している。なお、発光制御基板４５と弾性部材５との接続は、先に説明した実施形態と同じであるため説明を省略する（図３参照）。
【００３６】
図４において、後カバー４をカメラ本体２に被せると、弾性部材５（第１部材５ａおよび第２部材５ｂ）から露出している導電材６が、回路基板４６の電極パターン４６ａに対して略垂直に接触する。その後、不図示の前カバー３を後カバー４に突き合わせて接合すると、弾性部材５が圧縮されてカバー３、４間がシールされる。また同時に、弾性部材５の圧縮により導電材６の露出部分と電極パターン４６ａとが互いに押圧された状態で接触し、回路基板４６と弾性部材５とが電気的に接続されることになる。
【００３７】
本実施形態のように、弾性部材５と接続する回路基板４６がカメラ本体２側に取り付けられている場合でも、後カバー４をカメラ本体２に被せることにより、弾性部材５によるカバー３，４間のシール、および弾性部材５による回路基板４６と発光制御基板４５との接続が可能となる。したがって、本実施形態においても、先に説明した実施形態と同様の効果を得ることができる。
（変形形態）
【００３８】
以上説明した実施形態に限定されることなく、本発明は以下に示すような種々の変形や変更が可能であり、それらも本発明の範囲内である。
（１）本実施形態の弾性部材５では、外皮７の内部に１本の導電材６を設けているが、これに限らず、外皮７の内部に２本以上の導電材６を設けた構造としてもよい。これにより、２本以上のリード線に対応することができる。
（２）本実施形態では、電子部品としての回路基板４６および発光制御基板４５を後カバー４に配置しているが、これに限らず、前カバー３に配置しても良い。また、接続する電子部品としては、発光装置のための回路基板４６、発光制御基板４５に限らず、他の電子部品のための基板や素子などであってもよい。
（３）本実施形態では、溝部４８を後カバー４に形成しているが、これに限らず、前カバー３に形成してもよい。また、前カバー３および後カバー４の双方に形成してもよい。
（４）本実施形態では、弾性部材５の導電材６が回路基板４６および発光制御基板４５の電極パターン４４６ａ、４５ａに略垂直に接触しているが、これに限らず、斜め方向から接触させてもよい。
【符号の説明】
【００３９】
１：カメラ、３：前カバー、４：後カバー、５：弾性部材（５ａ：第１部材，５ｂ：第２部材）、６：導電材、７：外皮、３３，３４：接合面、４５：発光制御基板、４５ａ：電極パターン、４６：制御基板、４６ａ：電極パターン、４８：溝部
【図１】
2011027965.tif 000003
【図２】
2011027965.tif 000004
【図３】
2011027965.tif 000005
【図４】
2011027965.tif 000006